Podtech/llm-jp-corpus-v4-ja_patent huggingface dataset:
(57)【要約】【課題】本考案は地中のバラブ類の開閉機、棒状ですと二人で作動する場合も有り、容易にバラブ類のカギの部分も見えにくくカギの部分に収まりずらい安心して楽に作業ができるようにしたい。【解決手段】仕切弁開閉機を棒状から丸ハンドルにし、乾電池を使い仕切弁のキーの部分及びＯ〜Ｓの部分を見よくミスのない様にした。【選択図】図１
0003119953.tif 000002
【実用新案登録請求の範囲】
【請求項１】
開閉機本体の棒状ハンドルを丸ハンドルにし、仕切弁開閉機の使用をスムーズにしていた。
地中仕切弁を乾電池を取付け、仕切弁を見良くした開閉機です。Ｏ〜Ｓもミスがなくなる（市町村によってＯ〜Ｓが違う）
【考案の詳細な説明】
【技術分野】
【０００１】本考案は仕切弁開閉のハンドル操作をスムーズにした物であります。
【背景技術】
【０００２】現在の棒状ハンドルは体を回すようだった。
【考案の開示】
【考案が解決しようとする課題】
【０００３】丸ハンドル開閉機は、ハンドル操作をスムーズに出来るように仕切弁が地中で見えにくいのを見えよくした。
【課題を解決するための手段】
【０００４】地中の仕切弁と共に消火栓もほとんど地中が多く、消火栓ボックスの中も昼間でも見つけにくい物も有る。その為、乾電池も取付けました。消火栓も仕切弁と同じハンドルで棒状のハンドルの場合急ぎの時は二人で操作します。丸ハンドルは一人で操作できます。
【考案の効果】
【０００５】操作が容易になった事とＯ〜Ｓが間違わないようになります。
（市町村で違うので）
【考案を実施するための最良の形態】
【０００６】消火栓操作の場合、棒状の物より丸い方が怪我する事はなくなると思いますので、消火栓はこの物を使いたい従業員、水道局の人も失敗はないと思う為この人たちに特に使ってもらう。仕切弁筺のふたを開けハンドルを仕切弁の開閉の部分に差込み開閉の操作をする。
【実施例】
【０００７】以上添付図面に従って一実施例を説明する。１はハンドルを替えて見て操作が容易になった。２は電池により地中内が明るくなり、無駄な作業（開閉のハンドル部分）を見つけることがなくなった。開閉操作のミスがなくなる。
【産業上の利用可能性】
【０００８】本考案の一実施例は上述の如き構成になるもので有るから、仕切弁の開閉作用を容易にする。
【図面の簡単な説明】
【０００９】本開閉機の構造図で有る。【図１】本考案の実施を示す正面図で有る。
【図２】電池を取着した実施例を示す正面図である。
【符号の説明】
【００１０】１．開閉機本体
２．ハンドル部分
３．電池取付け部分
【図１】
0003119953.tif 000003
【図２】
0003119953.tif 000004
【手続補正書】
【提出日】平成17年8月5日(2005.8.5)
【手続補正１】
【補正対象書類名】実用新案登録請求の範囲
【補正対象項目名】全文
【補正方法】変更
【補正の内容】
【実用新案登録請求の範囲】
【請求項１】
仕切弁開閉機上部ハンドルを丸ハンドルにしたことを特徴とする丸ハンドル開閉機。
【請求項２】
仕切弁開閉機本体に小型ライトを取り付けたことを特徴とする請求項１記載の丸ハンドル開閉機。
【手続補正２】
【補正対象書類名】明細書
【補正対象項目名】全文
【補正方法】変更
【補正の内容】
【考案の詳細な説明】
【技術分野】
【０００１】  本考案は従来の棒状ハンドルを丸ハンドルにし本体に小型ライトを取り付けた仕切弁開閉機に関するものである。
【背景技術】
【０００２】  従来の仕切弁開閉機は図１に示す▲２▼のハンドルが棒状であり地中内の作業は手探りもしくは懐中電灯などを用いていた。
【考案の開示】
【考案が解決しようとする課題】
【０００３】  棒状ハンドルの作業は所定の位置から移動して操作することが多く２人で作業することもあり労働力的負担もあり、地中内は暗いので仕切弁の位置が確認しにくい為、ハンドルを丸ハンドルにし小型ライトを付けることにより前述の欠点を解決しようとするものである。
【課題を解決するための手段】
【０００４】  以上の課題を解決するために第１考案は棒状ハンドルを丸ハンドルにすることを特徴とする仕切弁開閉機である。第２考案は本体に小型ライトを取り付けることを特徴とする仕切弁開閉機である。
【考案の効果】
【０００５】  第１考案は仕切弁開閉機ハンドルを丸ハンドルにすることより所定の位置で容易に作業することが出来る。第２考案は小型ライトを取り付けることにより仕切弁をすばやく見つけることが出来る。
【考案を実施するための最良の形態】
【０００６】  この考案の一実施形態を図１に示す。
仕切弁開閉機ハンドル▲１▼鉄パイプを円形にし、▲３▼本体下部のパイプに丸穴を二個あけフックで小型ライトを吊り下げる。
【実施例】
【０００７】  以上、添付図面に従って一実施例を説明する。▲１▼は丸ハンドルにすることにより所定の位置で作業が出来、容易に操作が出来る。▲２▼は本体下部に小型ライトを取り付けることにより地中内を明るく作業をスムーズにし開閉のミスをなくす。仕切弁廻りは水が溜まっている場合があるので小型ライトは脱着出来る。
【図面の簡単な説明】
【０００８】
【図１】本考案の実施を示す斜視図である。
【図２】小型ライト部分拡大図である。
【符号の説明】
【０００９】    １．ハンドル部分
２．開閉機本体
３．小型ライト取付け部分
【手続補正３】
【補正対象書類名】図面
【補正対象項目名】全図
【補正方法】変更
【補正の内容】
【図１】
0003119953.tif 000005
【図２】
0003119953.tif 000006
(57)【要約】      （修正有）【課題】電気回路パルス及びノイズの不良影響を改善して電気制御装置の操作を安定させ、油量消耗を減少させることのできる石英球の包覆構造を提供する。【解決手段】石英球２の包覆構造は外殻１と少なくとも一つの石英球からなり、外殻は二つの球室１１を有し、球室内面は環状の凸リブ１２を形成し、且つ、その環径は石英球の外径より若干小さく、二つの石英球が球室に置入され、蓋覆される時、環状凸リブは石英球の外周を環形圧迫する。石英球は抵接して、環状凸リブの軸向きに配列される。バッテリー負極電極線端上方に付加され、石英球は構造圧力と電源線磁場の影響下で電流と同方向に固定電荷と安定周波数を釈出する。【選択図】図１
0003119890.tif 000002
【実用新案登録請求の範囲】
【請求項１】
石英球の包覆構造であって、外殻と少なくとも一つの石英球からなり、その特徴は、
前記外殻は、二つの球室を有し、前記球室内面は、環状の凸リブを形成し、且つ、その環径は、前記石英球の外径より若干小さく、二つの石英球が、前記球室に置入され、蓋覆される時、前記環状凸リブは、前記石英球の外周を環形圧迫することを特徴とする石英球の包覆構造。
【請求項２】
前記外殻は、二つの球室を有することを特徴とする請求項１に記載の石英球の包覆構造。
【請求項３】
前記石英球が前記球室に置入され蓋覆される時、石英球は抵接することを特徴とする請求項２に記載の石英球の包覆構造。
【請求項４】
前記二つの球室は、前記環状凸リブの軸向きに配列されることを特徴とする請求項２に記載の石英球の包覆構造。
【請求項５】
前記少なくとも一つの石英球は、第一石英球と第二石英球を有し、前記第一石英球は、緊束帯により緊束され、前記第二石英球は、前記第一石英球に抵接すると共に、前記緊束帯の軸向きに対応し、テープにより固定されることを特徴とする請求項１に記載の石英球の包覆構造。
【考案の詳細な説明】
【技術分野】
【０００１】
本考案は、石英球の包覆構造に関するものであって、特に、内面に、環状の凸リブを有する殻体で、石英球を包覆後、石英球を線的に圧迫することができる石英球の包覆構造に関するものである。
【背景技術】
【０００２】
電気製品は、最適な操作状態を維持して、良好な使用状態を提供しなければならず、最も重要なのは、電気回路の電流が安定しているかどうかである。回路電流が不安定な場合、電気製品の功能に影響を与え、特に、オートバイ、車など機動性の交通手段は、車両は様々交通状況を経るので、発電機の強くなったり、弱くなったりする電圧は、車両全体のシステム電流を不安定な状態にし、コントローラー（電気制御装置）による操作が不安定になり、着火が不正確で、油量制御が不良になるなどの状況が生じ、エンジンの不調、油量の多消耗等の欠点を招く。
【０００３】
現在、「逆電流」と称される電子製品があり、主に、電気回路上で、不規則電流を捕捉するものであるが、大部分の逆電流商品は、内部に電解コンデンサを使用するものがほとんどで、この種のコンデンサ価格は安いが、エンジン室内の温度、湿度、振動等の外在要素に影響を与えやすく、電解コンデンサの性能は迅速に劣化させ、これにより、電解コンデンサの逆電流は、すぐにその機能を失う。
【考案の開示】
【考案が解決しようとする課題】
【０００４】
本考案は、装着が容易で、環境に影響を受けにくい石英球の包覆構造を提供することを目的とする。
【課題を解決するための手段】
【０００５】
本考案の石英球の包覆構造は、外殻１、及び、少なくとも一つの石英球２、からなる。
【考案の効果】
【０００６】
本考案により、装着が容易で、環境に影響を受けにくいという利点が得られる。
【考案を実施するための最良の形態】
【０００７】
石英は、俗に言う「水晶」で、科学者の発見によると、以下のような特徴がある。一つは、圧電性（Piezoelectricity）で、石英の表面は、打撃や圧力を受けると、一定周波数の振動を生じ、上下間に、電荷を釈出して電流を生成する。もう一つは、周波数(Frequency)で、石英に適当な電流が流れる時、石英晶体に、安定した振動周波数を生成させ、一種の信号を形成し、この信号により、時計のモーター速度を制御し、指針が精確に計時する。上述の石英の特性を利用し、本考案の包覆構造は、石英球に対し環状圧力を施圧し、その後、バッテリー負極電源線端上方に付加し、石英球が、構造圧力、及び、電源線磁場の影響下で、電流方向と同方向に、固定電荷と安定周波数を釈出し、これにより、電源電流が安定し、電気回路パルス、及び、ノイズの不良影響を改善し、電気制御装置の操作を安定させ、油量消耗を減少させる。また、使用する材質は、環境の影響を受けて変質しにくいもので、長期に渡って使用できる。
【実施例１】
【０００８】
図１、図２は、本考案の好ましい具体例を示し、外殻１、及び、二つの駅請求２からなる。外殻１は、二つの石英球２の殻体を置入し、その特徴は、外殻１は、二つの球室１１を有し、球室１１内面は、環状の凸リブ１２を形成し、且つ、その環径は、石英球２の外径より若干小さい。二つの石英球２が、球室１１に置入され、蓋覆される時、この環状凸リブ１２は、石英球２の外周を環形圧迫し、環状凸リブ１２の軸向きの二つの石英球２は、丁度、抵接し、これにより、緊束帯４をバッテリー３の負極線３１端に配置する時（図３で示される）、石英球２は、環状凸リブ１２の圧迫状態、及び、電源線磁場の影響下で、環状凸リブ１２の軸向き方位で、安定した電磁振動磁場を形成し、これにより、電気回路中のノイズを減少させて、回路電流電荷の安定性を向上して、効果的に、電気制御装置の操作の安定性を改善して、アクセルの感度を向上して、エンジン機動力を上昇させ、油量消耗を減少させる。
【実施例２】
【０００９】
同様に、水晶球の構造配列と施圧モードは、図４のもう一つの実施例で示される。石英球２’は、まず、緊束帯４により緊束され、余分な尾部を切除する。さらに、もう一つの石英球２”を、石英球２’に抵接させて、緊束帯４の軸向きに対応させ、最後に、テープ５により、二つの石英球２’、２”を固定し、同様に、上述の実施例の状態を達成する。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【図面の簡単な説明】
【００１１】
【図１】本考案の立体分解図である。
【図２】本考案の構造断面図である。
【図３】バッテリー線負極端に装着する状態図である。
【図４】本考案のもう一つの実施例図である。
【符号の説明】
【００１２】
１…外殻
１１…球室
１２…環状凸リブ
２、２’、２”…石英球
３…バッテリー
３１…負極線
３２…正極線
４…緊束帯
５…テープ
【図１】
0003119890.tif 000003
【図２】
0003119890.tif 000004
【図３】
0003119890.tif 000005
【図４】
0003119890.tif 000006
(57)【要約】【課題】爪切り作業で深爪等により皮膚を傷つけることが全くない深爪防止爪切り具を提供する。【解決手段】一対の板体からなる爪切り具本体１の下体部２に、この下体部２の先端の刃先３及びその両端面から下体部２の側面に沿って基端側に向かい、下体部２の先端部分の三方を外側から包含する形状に防止枠４を設ける。防止枠４の上端部５は、刃先３の高さより高い位置に設定する。防止枠４は、刃先３及びその両端面の下縁部から刃先３に向かって立ち上がり、刃先３の前面部６と接している。【選択図】図１
0003119885.tif 000002
【実用新案登録請求の範囲】
【請求項１】
一対の板体からなる爪切り具本体１の下体部２に、この下体部２の先端の刃先３及びその両端面から前記下体部２の側面に沿って基端側に向かい、前記下体部２の先端部分の少なくとも三方を外側から包含する形状に防止枠４を設け、この防止枠４の上端部５は、前記刃先３の高さより高い位置に設定するとともに、前記防止枠４は、前記刃先３及びその両端面の下縁部から刃先３に向かって立ち上がり、前記刃先３の前面部６と接していることを特徴とする深爪防止爪切り具。
【請求項２】
前記防止枠４は、曲面状に湾曲され、下体部２の側面から前記刃先３の両端面及び前記刃先３の前面部６に連続して曲線的に包含していることを特徴とする請求項１記載の深爪防止爪切り具。
【請求項３】
前記防止枠４は、前記刃先３の上端縁から僅かに突出していることを特徴とする請求項２記載の深爪防止爪切り具。
【考案の詳細な説明】
【技術分野】
【０００１】
この考案は、爪切りの作業における深爪防止爪切り具に関する。
【背景技術】
【０００２】
従来の爪切り具での爪切り作業は、刃先面が直接爪下の皮膚に触れる形態の構造であるから、誤って刃先が爪下に深く入る場合があった。そして、その状態で切断作業をした場合は、深爪切りとなって、皮膚を傷つけることになっていた。
【特許文献１】特開２０００−４９３１号公報
【特許文献２】実用新案登録第３０７９７６４号公報
【考案の開示】
【考案が解決しようとする課題】
【０００３】
爪切り作業における深爪切りの失敗は、作業中にも気のままに体を動かしたりする幼小児に対しての作業時や、体感覚の衰えている介護病人など、また視力の不自由な人が作業している時に起きやすい。
【０００４】
この考案は、上記従来の技術に鑑みて成されたもので、爪切り作業で深爪等により皮膚を傷つけることが全くない深爪防止爪切り具を提供することを目的とする。
【課題を解決するための手段】
【０００５】
この考案は、一対の板体からなる爪切り具本体の下体部に、前記下体部の先端の刃先及びその両端面から前記下体部の側面に沿って基端側に向かい、前記下体部の先端部分の少なくとも三方を外側から包含する形状に防止枠を設け、この防止枠の上端部は、前記刃先の高さより高い位置に設定するとともに、前記防止枠は、前記刃先及びその両端面の下縁部に沿って立ち上がり、前記刃先の前面部と接している深爪防止爪切り具である。
【０００６】
前記防止枠は、曲面状に湾曲され、前記刃先の両端面から前記刃先の前面部に連続して曲線的に包含しているものである。さらに前記爪切り具本体の防止枠は、前記刃先の上端縁から僅かに突出している。
【考案の効果】
【０００７】
この考案の深爪防止爪切り具は、刃先が皮膚に触れないので、爪の切断時にも刃先により皮膚を傷つけることがない。これにより、作業中にも気ままに体を動かす幼小児や体感覚に衰えのある介護病人、また視力の不自由な人等が行う作業においても、深爪切りに対する気づかいをすることがなく、安心して爪切り作業が出来る。
【考案を実施するための最良の形態】
【０００８】
以下、この考案の深爪防止爪切り具の一実施形態について、図１、図２に基づいて説明する。この実施形態の深爪防止爪切り具は、一対の板体からなる爪切り具本体１の下体部２に、刃先３及びその両端面から下体部２の側面に沿って下体部２の基端側に向かい、下体部２の先端部分の三方及び爪切り具本体１の下体部２の下面を外側から包含する形状で、防止枠４が取り付けられている。ここでは、刃先３が防止枠４の内部に接着し、刃先３の前面部６と接着状態となって定着している。
【０００９】
防止枠４の上端部５は、刃先３の高さより高位置に設定されている。そして、防止枠４は、刃先３及びその両端面の下縁部に沿って立ち上がり、刃先３の前面部６と接している。防止枠４は、曲面状に湾曲し、刃先３の両端面から刃先３の前面部６に連続して、曲線的に爪切り具本体１の下体部２の先端部を覆っている。また、防止枠４は、刃先３の上端縁よりも僅かに突出している。
【００１０】
この実施形態の深爪防止爪切り具は、刃先３の位置を防止枠４の内部に包含するように覆っているものであるので、爪切り作業に際して、爪下に如何なる形態の角度で爪切り具を挿入して切断作業をしても、刃先３が爪下の皮膚に触れることがない。この刃先３を防止枠４の内部に包含したことにより、図１、図２で示すように刃先３は、防止枠４の内部に接した形態となり、爪下の皮膚に刃先３が触れることが無い。さらに、防止枠４の上端部５は刃先３の高さより高位置に設定してあることから、刃先３がどのような角度で爪下に入っても、刃先３が皮膚に触れることが全くない。即ち本案の刃先３は、爪下の皮膚に触れることの出来ない位置にある。
【００１１】
この実施形態の深爪防止爪切り具によれば、安全な爪切り作業を保証するために、下体部２の刃先３部分の両端面及び両側面を包含するように、曲面形状で形成した防止枠４が下体部２に固定されている。これにより、刃先３が完全に防止枠４に包含され、刃先３部分と共に防止枠４が爪下に入り、防止枠４とその上端部５が爪に触れるので、皮膚を切断することができない構造となっている。さらに、爪切り具が爪下に深く強く入って、痛く感じる程に皮膚に当たり、その位置で爪を切断しても、全く皮膚を傷つけることがない。また、爪切り具本体１の上側の刃先３Ａはその構成上、防止枠４の上端部５を越えて切断することはあり得ない。
【００１２】
なお、この考案の各素材の形状や構造は、適宜選択可能なものである。
【図面の簡単な説明】
【００１３】
【図１】この考案の一実施形態の爪切り具の斜視図である。
【図２】この実施形態の爪切り具の断面図である。
【符号の説明】
【００１４】
１  爪切り具本体
２  下体部
３，３Ａ  刃先
４  防止枠
５  端部
６  前面部
【図１】
0003119885.tif 000003
【図２】
0003119885.tif 000004
(57)【要約】      （修正有）【課題】切断作業が容易になり綺麗な切断が可能となり。また、広い場所も必要ではなくなる自動ヒートカット切断機の提供。【解決手段】  ロール３で巻き取りながら、センサー２で化学繊維に描かれた切断誘導ライン５を感知する。その後に、左右ベース７が左右に移動して、絵柄４をヒートカッター１で切断していく。【選択図】図１
0003119868.tif 000002
【実用新案登録請求の範囲】
【請求項１】
ロールに巻き上げながら、センサーとヒートカッターを使用した自動ヒートカット切断機。
【請求項２】
前記センサーとヒートカッターは、切断誘導ラインを感知して移動する請求項１記載の自動ヒートカット機。
【考案の詳細な説明】
【技術分野】
【０００１】  この考案は、化学繊維に描かれた素材を、自動に切断する機械に関する。
【背景技術】
【０００２】  従来の作業は、図２に示すように、切断する為には定規９を素材に合わせ、ヒートカッター１で手作業にて加工を行ないます。また、化学繊維に描かれた絵柄が大きい為に、広い場所が必要です。
【考案の開示】
【考案が解決しようとする課題】
【０００３】  しかしながら、以上の技術によれば、絵柄は長い物で１０ｍを越す物もあり、作業するのにも広い場所が必要でした。また、切断作業は化学繊維が、よれる恐れがあるので、切断に時間が掛かりました。そこでこの考案は、絵柄に沿うように切断誘導ラインを描いて、その線をセンサーで感知する。化学繊維の絵柄はロール状に巻いてあり、片方から巻き上げていきながら、センサーが感知した切断誘導ラインに、ヒートカッターが連動して動き，熱切断を行なう。
【課題を解決するための手段】
【０００４】  以上の課題を解決するために、第一考案は、ロールに巻き上げながら、センサーを設けたことを特徴とした、自動ヒートカット機である。また、第二考案はセンサーとヒートカッターは、切断誘導ラインの直線又は曲線をセンサーが感知して、ヒートカッターが連動して移動することを特徴とした自動ヒートカット機である。
【考案の効果】
【０００５】  第一考案、第二考案によれば、ロールを巻きながら、切断誘導ラインを感知しながら切断を行なうので、場所を取らず早く正確に切断が行なえる。
【考案を実施するための最良の形態】
【０００６】  この発明の一実施形態を、図１に示す。ヒートカッター１は、通電する事により先端部分が高熱となります。化学繊維を熱で切断します。本数は、切断したい箇所が増えれば本数も増えます。ロール３で巻き上げを行ないます。センサー２は、化学繊維に描かれた切断誘導ライン５を感知する為に付いており、感知するとモーター８が動作して、移動ベース７が左右に動きます。切断誘導ライン５は切断する為の基準となる線です。化学繊維６は化学繊維に描かれた絵柄４です。【０００７】「実施形態の効果」
この実施形態によれば、切断誘導ライン５をセンサー２の感知により、絵柄が化学繊維に対して、斜めに描かれたとしても、切断誘導ライン５と絵柄４が平行なので間違えて他の場所を切る事がない。ロール３を巻き上げながら切っていくので、場所が有効に使える。【０００８】「他の実施形態」
図１の実施形態では、切断誘導ライン５と絵柄４は平行に描かれているが、切る線を曲線やジグザグに切りたい場合は、切断誘導ライン５を曲線やジグザグに描くとヒートカッター１が、左右に移動して切断していく。センサー２は、複数付けてセンサー感度を上げたものでも良い。
【図面の簡単な説明】
【０００９】
【図１】この考案の一実施形態を示す斜視図である
【図２】従来の切断方法を示す斜視図である。
【符号の説明】
【００１０】１  ヒートカッター  ２  センサー  ３  ロール  ４  化学繊維に描かれた絵柄
５  切断誘導ライン  ６  化学繊維  ７  左右移動ベース  ８  モーター  ９  定規
【図１】
0003119868.tif 000003
【図２】
0003119868.tif 000004
(57)【要約】      （修正有）【課題】上・横向きのアンカー樹脂注入において、空気を混入させずにアンカーの孔底から樹脂を注入し、液だれを防ぐことができる。あと施工アンカー上・横向き樹脂注入器を提供する。【解決手段】アンカー孔径よりやや小さい径の透明パイプ１を用いて必要量樹脂８をピストン３で吸引した後、パイプ先端をアンカー孔底まで挿入し、流動性を確保しながら一定基準以上の粘度を保った樹脂の注入を行う。【選択図】図１
0003119863.tif 000002
【実用新案登録請求の範囲】
【請求項１】
アンカー孔径より１〜１０ｍｍ小さい外径で、樹脂吸引量または注入樹脂量の確認が可能な目盛りを施した透明色のパイプと、ピストン先端部の吸引する為の部材と後端の握り部分及び、ピストン先端部からパイプの長さと同じ寸法に位置するストッパーとピストン軸のセンター保持部材が取替え可能なピストン主軸部材から構成される、吸引した樹脂を直接アンカー孔へ注入する注入器。
【考案の詳細な説明】
【技術分野】
【０００１】この考案は、土木分野のあと施工アンカー工事をするための器具に関する。
【背景技術】
【０００２】現在主流の工法は注入口と空気抜き口を設置し、アンカー孔入り口にシール養生を行った後、注入器へ樹脂を移してから、注入口と注入器を接続して注入を行い、更に養生後に注入口・シール材の撤去を行わなければならない。
【考案の開示】
【考案が解決しようとする課題】
【０００３】横・上向きの樹脂注入は下向きとは異なり、空気を混入させずにアンカーの孔底から樹脂を注入すること、充填された樹脂の流出を防ぐことが非常に困難である。
【課題を解決すための手段】
【０００４】樹脂注入後アンカーボルトを挿入する為、樹脂には適度な流動性が必要となる。流動性を確保しながらも一定基準以上の粘度を保った樹脂を使用し、アンカー孔の底から空気を混入させずに注入した場合、孔壁との付着と表面張力により、状態が一定時間保持され、液だれが起こりずらくなる。
その特性を生かす方法として、孔径よりやや小さい径の透明パイプを用いて必要量樹脂をピストンで吸引した後、パイプ先端をアンカー孔底まで挿入し、樹脂の注入を行う器具を提供する。
【考案の効果】
【０００５】施工性向上による大幅な工期短縮、作業・材料コストの削減、施工品質の向上
【考案を実施するための最良の形態】
【０００６】太径ボルトのあと施工アンカー施工
【実施例】
【０００７】橋梁耐震補強工事
【産業上の利用可能性】
【０００８】
【図面の簡単な説明】
【０００９】
【図１】断面図
【符号の説明】
【００１０】  １．透明パイプ                ５．ピストン軸センター保持材
２．樹脂容量目盛り            ６．ストッパー
３．ピストン主軸              ７．グリップ
４．吸引部材                  ８．樹脂
【図１】
0003119863.tif 000003
(57)【要約】      （修正有）【課題】胸ポケット内などから、携帯電話機を脱落させない保持具を提供する。【解決手段】連結板２に、携帯電話機Ｋを吸着する吸盤３と、ポケットの上部先端部Ｔを挟み込むクリップ１を備えた保持具により、構成。【選択図】図２
0003119867.tif 000002
【実用新案登録請求の範囲】
【請求項１】
携帯電話機を胸ポケット内に保持するための、クリップと吸盤、これを連結する連結板を組み合わせた携帯電話機保持具。
【考案の詳細な説明】
【技術分野】
【０００１】  本考案は、携帯電話機を胸のポケット内から脱落させない保持具に関する。
【背景技術】
【０００２】  従来は、胸ポケット内から携帯電話機を脱落させない保持具がなかった。
【考案の開示】
【考案が解決しようとする課題】
【０００３】  しかし、これではお辞儀をしたり、前屈で作業をしたりすると、携帯電話機が胸ポケット内から脱落してしまい不便である。
【課題を解決するための手段】
【０００４】  そこで、クリップ、連結板、吸盤が一体になった携帯電話機保持具を考案した（図１）。携帯電話機を吸盤で吸着し、クリップでポケットの上部先端部を挟みこれを保持する。ポケットの深さに合わせて位置を調整できるように、連結板には３ヵ所ほど調整穴を開け、吸盤裏面の凸がどこの調整穴でも脱着できる構造にする。
【考案の効果】
【０００５】  よって、本考案の携帯電話機保持具により、前屈での作業をしても携帯電話機が、胸ポケット内から脱落することが無くなる。また、吸盤を取り付ける事により、携帯電話機の機種を問わなくて良い。また、携帯電話機以外でも吸盤が吸着する物であれば利用可能である。
【考案を実施するための最良の形態】
【０００６】  本考案に係る携帯電話機保持具は１０、クリップ１、連結板２、吸盤３の組み合わせで出来ています。クリップはポケットの上端部Ｔに容易に着脱できるもので、しっかり挟める物が良い。連結板は、少し柔軟性が有るプラスチック製などが良い。吸盤は直径１．５ｃｍから３．０ｃｍ位が良い。材質は、シリコン樹脂など吸着力の優れたものが良い。調整穴５は、吸盤の凸４が保持できる径にする。
【図面の簡単な説明】
【０００７】
【図１】  本案に係る携帯電話機保持具を、横から見た図である。
【図２】  本案に係る携帯電話機保持具で携帯電話機を吸着し、胸ポケット内に保持した状態を、ポケットの横断面から見た図である。
【図３】  保持具に、携帯電話機を吸着させる面の図である。
【図４】  保持具を、胸のポケットに装着する面の図である。
【符号の説明】
【０００８】  １      クリップ
２      連結板
３      吸盤
４      吸盤凸
５      調整穴
１０      携帯電話機保持具
Ｋ      携帯電話機
Ｐ      胸ポケット内
Ｔ      胸ポケット上端部
【図１】
0003119867.tif 000003
【図２】
0003119867.tif 000004
【図３】
0003119867.tif 000005
【図４】
0003119867.tif 000006
(57)【要約】【課題】  クリップ付きの台座に磁石を介してマーカーを着脱自在に取り付け、クリップを利用して台座をゴルフシューズに取り付けることによってマーカーの着脱が簡単にできる保持具付ゴルフ用マーカーを提供する。【解決手段】  周辺に縁部２を設けることによって上面に凹陥状のマーカー装着部３を形成した台座１の前部の一部を切り欠き、更に縁部２の前部の一部を切除した台座１の前部下方にクリップ５を設け、台座１の上面中心部に磁石４を埋設し、前記凹陥状のマーカー装着部３にマーカー６を着脱自在に取り付けたことを特徴とする。【選択図】図１
0003119864.tif 000002
【実用新案登録請求の範囲】
【請求項１】
周辺に縁部を設けることによって上面に凹陥状のマーカー装着部を形成した台座の前部の一部を切り欠き、縁部の前部の一部を切除した台座の前部下方にクリップを設け、台座の上面中心部に磁石を埋設し、前記凹陥状のマーカー装着部にマーカーを着脱自在に設けたことを特徴とする保持具付ゴルフ用マーカー。
【考案の詳細な説明】
【技術分野】
【０００１】  本考案はクリップ付きの台座の上面に磁石を介してゴルフ用マーカーを着脱自在に取り付け、クリップを利用して台座をゴルフシューズに取り付けることによってマーカーを確実に保持すると共に、簡単に取り外してマークできるように構成した保持具付ゴルフ用マーカー関するものである。
【背景技術】
【０００２】  従来、ゴルフ用マーカーは主として合成樹脂材からなる小形の１０円硬貨程度の円盤の底面中心部に突起を設けたものが使用され、プレイ中は複数個のマーカーが着衣のポケットに常に用意されていた。
【考案の開示】
【考案が解決しようとする課題】
【０００３】  しかし、従来使用されているマーカーは軽量であるため、グリーン上でマークした際、風で吹き飛ばされたり、ポケットに入れる際に落下しても気がつかなかったりして紛失する事態がしばしば発生した。
又、マーカーを使用する度にポケットから出したり入れたりするのは煩わしいばかりでなくメンタルなゴルフスポーツに少なからず影響を及ぼしている。
本考案はクリップ付きの台座に磁石を介してマーカーを着脱自在に取り付け、クリップを利用して台座を靴に取り付けることによってマーカーの着脱が簡単にでき確実に保持することができる保持具付ゴルフ用マーカーを提供することを目的とする。
【課題を解決するための手段】
【０００４】  上記目的を達成するため本考案は、周辺に縁部２を設けることによって上面に凹陥状のマーカー装着部３を形成した台座１の前部の一部を切り欠き、更に縁部２の前部の一部を切除した台座１の前部下方にクリップ５を設け、台座１の上面中心部に磁石４を埋設し、前記凹陥状のマーカー装着部３にマーカー６を着脱自在に設けたものである。
【考案の効果】
【０００５】  上記のように構成された本考案には次のようの効果がある。
ａ．台座のクリップを利用してゴルフシューズの上方の開口部でプレ−に全く支障のない部位に取り付けておくことによって、常によく見える位置にマーカーが保持されている。
ｂ．マ−カ−は台座の中央部に埋設された磁石によって台座に接着されているので紛失する恐れは全くない。
ｃ．マーカーは磁石によって着脱自在に台座に取り付けられているので、簡単に取り外してマ−キングすることができ、マ−クを解除する時はマ−カ−を摘みあげてそのままシュ−ズに取り付けられた台座に接着させれば簡単に保持される。
ｄ．台座がクリップを利用して確実にゴルフシュ−ズに取り付けられているので、台座に接着されているマ−カ−は紛失する恐れがないので、従来のように予備として複数個のマーカーを用意しておく必要はない。
【考案を実施するための最良の形態】
【０００６】  以下、本考案の実施の形態を図面に基づいて説明する。【０００７】  図１は本考案の分解斜視図で図２は正面図、図３は図２おけるＩＩＩ−ＩＩＩ断面図、図４は平面図、図５は底面図、図６は本考案の使用状態示した図で、図中の符号Ａはゴルフシュ−ズを示す。【０００８】  １は金属又は硬質の合成樹脂材からなる薄い円板の前部の一部を切り欠いて形成された台座で、この台座１の周側に縁部２を形成することによって凹陥状のマ−カ−挿着部３が形成されている。【０００９】  縁部２は図面に示すように、台座１の後半部周辺を立ち上がらせたもので、このように縁部２を設けることによって台座１の上面にマーカー装着部３が形成される。【００１０】  マーカー装着部３はマーカーを装着した際、縁部２とマーカーが面一となるように縁部２はマーカー６の厚さと同一の高さに設けられており、径はマーカーよりやや大径にに設けられている。【００１１】  ４は台座１の上面中央部に埋設された磁石（フェライト）で、鉄製のマ−カ−を吸着させることによって確実に保持するようになっている。【００１２】  ５は台座１の前端を切り欠いた部位に設けられたクリップで、切り欠いた部位から台座の下面へ折り返し、折り返し部分と台座１の底面とで挟持することによって台座１がゴルフシューズに取り付けられるようになっている。
クリップ５の先端は開放状に折れ曲げて形成されているのでゴルフシューズに取り付ける際、取り付けやすい形状になっている。【００１３】  ６は鉄製で薄い円盤状のゴルフ用マーカーで、台座１のマーカー装着部３に装着した際、マーカーの一部が前端の切り欠いた部分から突出するようになっていて、装着されたマーカーが取り外しやすいようになっており、上面は図面に示すように上方へ緩やかに湾曲状に膨らんだ形状になっている。
マーカー６は着脱し易いようにマーカー装着部３よりやや小径に形成されている。【００１４】  上記のように構成された本考案を実際に使用する場合は次のようになる。
ゴルフ場に到着し、プレイ開始の準備をする際、図６に示したように、クリップ５を利用してゴルフシューズに台座５を取り付け、マーカー装着部３にマーカー６を装着する。
鉄の材質からなるマーカー６は台座１の中央部に埋設された磁石によって吸着され、確実に固定される。
グリーン上でマーカーを使用するときは、台座１の切り欠いた部分から突出しているマーカー３の一部を指先に掛け、剥がすようにしてマーカーを取り外し、自己のゴルフボールの位置に置いてマーキングする。
【図面の簡単な説明】
【００１５】
【図１】  本考案の分解斜視図
【図２】  本考案の正面図
【図３】  図２におけるＩＩＩ−ＩＩＩ断面図
【図４】  本考案の平面図
【図５】  本考案の使用状態を示した図
【符号の説明】
【００１６】      １  台座
２  縁部
３  マーカー装着部
４  磁石
５  クリップ
６  マーカー
Ａ  ゴルフシューズ
【図１】
0003119864.tif 000003
【図２】
0003119864.tif 000004
【図３】
0003119864.tif 000005
【図４】
0003119864.tif 000006
【図５】
0003119864.tif 000007
(57)【要約】      （修正有）【課題】湧水および地下水の微生物汚染の問題解決等のため、従来からある流水式紫外線殺菌装置と受水タンクを組み合わせた簡易飲用水殺菌装置を提供する。【解決手段】採取した水を投入する受水タンク１と、この受水タンク１の下端部に接続された、流水式紫外線殺菌装置２と、水の出口に設置されたコック３と、を備えた簡易飲用水殺菌装置１０。【選択図】図１
0003119869.tif 000002
【実用新案登録請求の範囲】
【請求項１】
原水を投入するタンク部と、このタンク部の下部に接続される流水式殺菌装置を備えた簡易飲用水殺菌装置。
【考案の詳細な説明】
【技術分野】
【０００１】本考案は飲用水の殺菌に関する。
【背景技術】
【０００２】従来湧水地から採取した飲用水は無殺菌のまま利用されていた。
【考案の開示】
【考案が解決しようとする課題】
【０００３】しかし、これでは、大腸菌や野鳥から伝播する鳥インフルエンザウイルスなどによる微生物汚染の危険性を含んでおり、安全性に問題がある。
【課題を解決するための手段】
【０００４】そこで、従来からある流水式紫外線殺菌装置と、受水タンクとを組み合わせて簡易殺菌装置を考案した。この装置により、投入した水は一旦受水タンク内に保持でき、コックを開放することにより、流水式紫外線殺菌装置を通過した水が連続的に殺菌ができる。
【考案の効果】
【０００５】よって、本考案の簡易飲用水殺菌装置により、湧水地等で採集した水を簡便に殺菌することができる。
【考案を実施するための最良の形態】
【０００６】本考案に係る簡易飲用水殺菌装置１０は、図１に示すように受水タンク１を備えている。そしてこの受水タンク１の下端部には、流水式紫外線殺菌装置２が接続されており、水の出口にはコック３が設けられている。
【図面の簡単な説明】
【０００７】
【図１】本考案に係る簡易飲用水殺菌装置を示した断面図である。
【符号の説明】
【０００８】１        受水タンク
２        流水式紫外線殺菌装置
３        コック
１０      簡易飲用水殺菌装置
【図１】
0003119869.tif 000003
(57)【要約】      （修正有）【課題】桶胴太鼓実演時「華麗に華やかに」降雨時にも実現出来る防滴カバーの提供。【解決手段】材質的に、丈夫な厚さ０．０５〜０．３ミリメートルのビニールシートを円盤状に製作し外周部にゴム紐を入れ、そのゴムの収縮力にて太鼓の鏡面に、恰も貼り付けた様に、且つ、実演時ばちにて叩かれても十分耐え得る強度を保つ防滴カバーである。【選択図】図１
0003119816.tif 000002
【実用新案登録請求の範囲】
【請求項１】
厚さ０．０５〜０．３ミリメートルのビニールシートを円形に切断しその外周は幅１センチメートルの部分から内側に折り返しその折返しの中に直径１．５〜３ミリメートルのゴム紐を挿入しその折り返し部分を接着若しくは溶着する事で外周にゴム紐の入った円盤状ビニールシートが形成される。その直径寸法は各種桶胴太鼓の鏡面直径寸法より２〜３センチメートル大きく製作する。ゴム紐の収縮力により恰も桶胴太鼓の鏡面に貼り付けた様に見える事を特徴とする桶胴太鼓の防滴カバー。
【請求項２】
請求項１の桶胴太鼓の防滴カバーであって、厚さ０．０５〜０．３ミリメートルのビニールシートとゴム紐とを組み合わせる事でより簡便に脱着できる、且つ各種文字・ロゴマーク・模様等を描く事が出来る、又、各種文字・ロゴマーク・模様等の強度保持の為にカッテングシートで各々の形状を作り貼り付ける事も出来ることを特徴とする桶胴太鼓の防滴カバー。
【考案の詳細な説明】
【技術分野】
【０００１】本発明は、桶胴太鼓の実演時、降雨等にて太鼓の鏡面（かがみめん）である牛皮部分を防滴する事と、そのカバーに団体名・ロゴ・模様等を描く事で実演団体の宣伝効果を高める事に関するものである。
【背景技術】
【０００２】従来どの太鼓に関しても、降雨時の防滴カバーという物は使われていない，従って、降雨時には、不透明なポリプロピレン製の袋にて代用している。
【考案の開示】
【考案が解決しようとする課題】
【０００３】しかしながら、このようなポリプロピレン製の袋等を使用しても、材質的に非常に弱く、太鼓の実演時には、凡そ５分から１０分位で、太鼓の鏡面（かがみめん）に破れ等の穴が開き、防滴の効果がない上に、「華麗に・華やかに」の雰囲気から、程遠い物という問題があった。そこで本発明は、このような課題を考慮してなされたものであり、材質もビニール製にて透明な上に丈夫にしている、尚且つ、漆等で仕上げている桶胴部分は防滴の必要性がないので、太鼓の鏡面（かがみめん）だけにカバーする事により見た目に綺麗な上カバーの正面部分（鏡面正面と同一）に団体名等の文字・ロゴ・模様等を描く事により各実演団体の宣伝効果をも上げて行く事を目的とする。
【課題を解決するための手段】
【０００４】上記課題を解決する為に本発明は、厚さ０．０５〜０．３ミリメートルのビニールシートを円形に切断しその外周は幅１センチメートルの部分から内側に折り返しその折返しの中に直径１．５〜２ミリメートルのゴム紐を挿入しその折り返し部分を接着若しくは溶着する事で外周にゴム紐の入った円盤状ビニールシートが形成される。その直径寸法は各種桶胴太鼓の鏡面直径寸法より２〜３センチメートル大きく製作する。ゴム紐の収縮力により恰も桶胴太鼓の鏡面に貼り付けた様に見える、且つ桶胴太鼓の鏡面に当る部位に各種文字・ロゴマーク・模様等を描ける事を特徴とする桶胴太鼓の防滴カバー。
【考案の効果】
【０００５】以上説明したように、本発明品によれば、桶胴太鼓の防滴カバーの脱着が素早くより簡便にできる外に、太鼓の鏡面に当る部分に各種団体名・ロゴマーク・模様等を入れる事により、「華麗に華やかに」が実現できる事と各実演団体の宣伝効果を上げる事ができる。
【考案を実施するための最良の形態】
【０００６】以下、本発明を添付図面を参照して概略説明する。先ず図１は桶胴太鼓の斜視図であるが、この太鼓の使用法は種々あるが、本発明が目的とする使用法は、太鼓実演時には図１の形態で実演者は襷にて肩から前方に吊り下げ左右の鏡面（かがみめん）を両手でばちを使い叩くと言う作業をするのであるが、この時太鼓の鏡面（かがみめん）は牛皮製であるので降雨等があると、防滴の必要性が生じる。そこで、本発明の詳細を説明すると図１の太鼓の鏡面に図３のビニール製カバーを装着する、図１の１  太鼓の鏡面より図３のビニール製カバーの直径が２〜３センチメートル大きく製作してあるので図３のビニール製カバーの５のゴム紐の収縮力で簡略に装着する事ができる、又、図４には装着状態を想定したビニール製カバーの部分詳細図を示している、これはビニールの折り返し部分に５のゴム紐の通し方と接着若しくは溶着部を示しているものである。
【図面の簡単な説明】
【０００７】
【図１】桶胴太鼓の斜視図及びビニール製カバーの斜視図
【図２】太鼓の鏡  正面図
【図３】ビニール製カバーの見開き図
【図４】ビニール製カバーの詳細図
【符号の説明】
【０００８】１  太鼓の鏡面２  桶胴（本体）３  締め紐（ロープ）４  ゴム紐
【図１】
0003119816.tif 000003
【図２】
0003119816.tif 000004
【図３】
0003119816.tif 000005
【図４】
0003119816.tif 000006
【手続補正書】
【提出日】平成17年7月21日(2005.7.21)
【手続補正１】
【補正対象書類名】実用新案登録請求の範囲
【補正対象項目名】全文
【補正方法】変更
【補正の内容】
【実用新案登録請求の範囲】
【請求項１】
・桶胴太鼓の鏡面に厚さ０．０５〜０．３ミリメートルのビニール製シートを恰も貼り付けた様に見える事を特徴とする桶胴太鼓の防滴カバー。
【請求項２】
・請求項１の桶胴太鼓の防滴カバーであって、厚さ０．０５〜０．３ミリメートルのビニール製シートとゴム紐を組み合わせる事で、より簡便に脱着でき、且つ各種文字・ロゴマーク・模様等を描く、又は貼り付ける事が出来ることを特徴とする桶胴太鼓の防滴カバー。
【手続補正書】
【提出日】平成17年11月27日(2005.11.27)
【手続補正１】
【補正対象書類名】実用新案登録請求の範囲
【補正対象項目名】全文
【補正方法】変更
【補正の内容】
【実用新案登録請求の範囲】
【請求項１】
・厚さ０．０５〜０．３ミリメートルのビニール製シートを円形に切断し、外周１０ミリメートルの所から折り返しを作りその中に直径１。５〜２ミリメートルのゴム紐を挿入、さらに折り返し部分を接着又は溶着させ、この事で外周にゴム紐の入った円盤状ビニール製シートを形成させる、尚且つその外形寸法は各桶胴太鼓の鏡面より２〜３センチメートル大きく製作することで桶胴太鼓に装着する事が出来る防滴カバー
【請求項２】
・請求項１の桶胴太鼓の防滴カバーであって、ビニール製シートとゴム紐を組み合わせる事で、より簡便に脱着でき、且つ各種文字・ロゴマーク・模様等を描く、又は貼り付ける事が出来ることを特徴とする桶胴太鼓の防滴カバー。
(57)【要約】      （修正有）【課題】ラジコン飛行機のプロペラによるケガを未然に防ぐ安全且つ、コンパクトな機体保持装置金具を提供する。【解決手段】鉄棒２を地中にハンマーで回転軸まで埋め込み、先端を少し曲げさらに回転軸から前方に地面と平行な部分を作り、前には倒れない構造の鉄棒１でラジコン飛行機の水平尾翼を支え機体の前進を止める。【選択図】図１
0003119819.tif 000002
【実用新案登録請求の範囲】
【請求項１】
ラジコン飛行機の水平尾翼を支えて、エンジン始動時機体が前に進むのを止める保持装置金具である。
さらに、エンジン始動後、金具を後ろに倒す事によってそのまま機体が発進できる。
【考案の詳細な説明】
【考案の詳細な説明】
【考案が解決しようとする課題】
【０００１】従来このような固定式機体保持金具は存在するがエンジン始動後、操縦者は送信機をもっているので他の人が、機体を金具から持ち上げて外す必要があり（後ろだけ持ち上げると、回転しているプロペラが地面にあたってしまう。）
そのとき、エンジンが回っているので危険なことと、（実際、ラジコン飛行機をやっている人全員がエンジン始動時と持ち運び時に手や足を切っています。そのうちの１割くらいは、重症です。）
不使用時、金具の高さが足にからみ通行の妨げになっていた。
【課題を解決するための手段】
【０００２】金具を倒せる構造にして上記の課題をなくし、ひとりで安全にラジコン飛行機を楽しめるようになる。
【図面の簡単な説明】
【図１】  本考案の斜視図である。１．水平尾翼を支える鉄棒。２．ハンマーその他で地中に埋め込む鉄棒。３．ショックをやわらげるスポンジ。
【図２】  エンジン始動時。
【図３】  発進時は、垂直尾翼を持ち機体を後ろにずらし、足で１を倒す。
【図４】  離陸準備完了。
【図１】
0003119819.tif 000003
【図２】
0003119819.tif 000004
【図３】
0003119819.tif 000005
【図４】
0003119819.tif 000006
【手続補正書】
【提出日】平成17年6月30日(2005.6.30)
【手続補正１】
【補正対象書類名】実用新案登録請求の範囲
【補正対象項目名】全文
【補正方法】変更
【補正の内容】
【実用新案登録請求の範囲】
【請求項１】
（２）を、土中に差し込み、先端を少し曲げ、さらに後ろにのみ回転するように折り曲げた（１）で機体を支える保持装置金具。
【手続補正書】
【提出日】平成17年9月6日(2005.9.6)
【手続補正１】
【補正対象書類名】実用新案登録請求の範囲
【補正対象項目名】全文
【補正方法】変更
【補正の内容】
【実用新案登録請求の範囲】
【請求項１】
２．の鉄杭を地中にハンマーで回転軸まで埋め込み、エンジン始動時、万が一、水平尾翼が上にずれ上がったとき外れないように先端を少し曲げさらに回転軸から前方に地面と平行な部分を作り、前には倒れない構造の１．でラジコン飛行機の水平尾翼を支え機体の前進を止める回転式機体保持装置金具である。
【手続補正書】
【提出日】平成17年11月17日(2005.11.17)
【手続補正１】
【補正対象書類名】実用新案登録請求の範囲
【補正対象項目名】全文
【補正方法】変更
【補正の内容】
【実用新案登録請求の範囲】
【請求項１】
鉄棒２．の鉄杭を地中にハンマーで回転軸まで埋め込み、エンジン始動時、万が一、水平尾翼が上にずれ上がったとき外れないように先端を少し曲げさらに回転軸から前方に地面と平行な部分を作り、前には倒れない構造の鉄棒１．でラジコン飛行機の水平尾翼を支え機体の前進を止める回転式機体保持装置金具である。
(57)【要約】      （修正有）【課題】手前に掛けた物を外さなくても奥に掛けた物を外して取れるペーパーファイリング用品を提供する。【解決手段】ペーパーファイリング用品（２）にフック状の部分（１）を設ける。【選択図】図１
0003119820.tif 000002
【実用新案登録請求の範囲】
【請求項１】
（イ）ペーパーファイリング用品（２）にフック状の部分（１）を設ける。
以上の如く構成されたペーパーファイリング用品。
【考案の詳細な説明】
【考案の詳細な説明】
【技術分野】
【０００１】この考案は、引っ掛ける部分を設けたペーパーファイリング用品に関するものである。
【背景技術】
【０００２】従来、ペーパーファイリング用品等をクリップを使って壁などに掛ける方法はあったが、奥の方に掛けた物をとる時、手前に掛けた物を全部はずさないと取れなくて不便だった。
【考案が解決しようとする課題】
【０００３】本案は、その欠点を除いて手前に掛けた物をはずさなくても奥に掛けた物をはずして取れるペーパーファイリング用品を開発しようとするものである。
【課題を解決するための手段】
【０００４】いまその手段を図面に追いながら説明すれば、ペーパーファイリング用品（２）にフック状の部分（１）を設ける。以上の如く構成されたペーパーファイリング用品である。
【考案を実施するための最良の形態】
【０００５】本案は、以上のような構造であるから、これを使用する時は、ペーパーファイリング用品（２）に書類を入れて、フック状の部分（１）を釘などに引っ掛ける。手前の物をはずさなくても、奥の物を取ることができる。【０００６】なお、本考案の実施に当たって次の如きことができる。
（イ）フック状の部分（１）を切り込み部分（３）にかえる。
【考案の効果】
【０００７】したがって、手前に掛けた物をはずさなくても、奥に掛けた物をはずせるペーパーファイリング用品である。
【図面の簡単な説明】
【図１】本考案の正面図
【図２】本考案のほかの実施例を示す正面図
【符号の説明】
１はフック状の部分
２はペーパーファイリング用品
３は切り込み部分
【図１】
0003119820.tif 000003
【図２】
0003119820.tif 000004